(57)【特許請求の範囲】
【請求項１】
側面を有するスポンジ製の洗浄体と、
前記洗浄体の正面から背面側に向かって略上下方向に貫通して切り込まれる切込部と、
前記洗浄体のうち、前記切込部の両側に設けられる洗浄片と、
前記洗浄体の側面に設けられ、前記切込部に一の指を挿入して前記切込部の終端にその指の腹を掛け、かつ、他の指で前記洗浄体の側面を掴んで洗浄用具を使用する場合に、前記挿入した指の尺側の指のうちのいずれか一つまたは複数を前記洗浄体の内部に挿入できる指挿入部と、を備え、
前記指挿入部が、前記洗浄片より背面側に形成されていることを特徴とする洗浄具。
【請求項２】
前記洗浄体の側面に、前記洗浄片の少なくとも１つの水平方向への変形を補助する変形補助手段を備えていることを特徴とする請求項１記載の洗浄用具。
【請求項３】
前記洗浄体が、前記切込部の終端に、前記洗浄体の略上下方向に貫通する貫通孔を備えることを特徴とする請求項１または２記載の洗浄用具。
【発明の詳細な説明】
【技術分野】
【０００１】
本発明は、食器、浴槽、車両、機械、身体その他の物を洗浄するために用いる洗浄用具に関する。
【背景技術】
【０００２】
食器、浴槽、車両、機械または身体等を洗浄するための道具として、略直方体のスポンジ製の洗浄用具がある。
この洗浄用具によると、隅部や凹部などの部分をうまく洗浄できないという問題があった。
【０００３】
上記問題を解決するため、特許文献１には、上面および下面がひし形である六面体のスポンジが記載されている。
しかしながら、このスポンジは、スポンジの上面うち鋭角部分を人差し指等で押さえ、他の指でスポンジの側面を掴んで使用するため、しっかりと掴むことができず、また鋭角部分を押さえる指に負担が掛かるという問題がある。また、鋭角部分を１本の指で押さえるため、洗浄部分にしっかりと力をかけることができず、汚れを十分に落とすことができないという問題もある。
【先行技術文献】
【特許文献】
【０００４】
【特許文献１】実用新案登録第３０２３７１１号公報
【発明の概要】
【発明が解決しようとする課題】
【０００５】
そこで、本発明は、しっかりと楽に掴むことができ、隅部や凹部などの洗浄しにくい部分を洗浄することができるとともに、洗浄部分を確実に洗浄することができる洗浄用具を提供することを目的とする。
【課題を解決するための手段】
【０００６】
本発明の洗浄用具は、側面を有するスポンジ製の洗浄体と、洗浄体の側面から内側に向かって略上下方向に貫通して切り込まれる切込部と、洗浄体のうち、切込部の両側に設けられる洗浄片と、を備えることを特徴とする。
ここで、洗浄体を構成するスポンジは、天然スポンジであってもよいし、合成スポンジであっても良い。また、切込部は、一つであってもよいし、複数あってもよい。
なお、本発明の洗浄用具は、物の洗浄に加えて、研磨剤等を用いた研磨や、ワックス等の塗布にも用いることができる。
【０００７】
本発明の洗浄用具は、洗浄体の側面に、洗浄片の少なくとも１つの水平方向への変形を補助する変形補助手段を備えてもよい。
【０００８】
本発明の洗浄用具は、洗浄体が切込部の終端に洗浄体の略上下方向に貫通する貫通孔を備えてもよい。
【０００９】
本発明の洗浄用具は、切込部に一の指を挿入して切込部の終端にその指の腹を掛け、かつ、他の指で洗浄体の側面を掴んで洗浄用具を使用する場合に、挿入した指の尺側の指のうちのいずれか一つまたは複数を洗浄体の内部に挿入できる指挿入部を、洗浄体の側面に備えてもよい。
【発明の効果】
【００１０】
本発明の洗浄用具によると、洗浄片を設けたことにより、洗浄片で洗浄することができるので、隅部、凹部その他の洗浄し難い部分を容易かつ確実に洗浄することができる。また、洗浄片を指で摘んで洗浄部分を洗浄する場合には、手や腕の力を洗浄部分に集中して伝達することができるので、落ち難い汚れもしっかりと洗浄することができる。
【００１１】
また、本発明の洗浄用具を、例えば、切込部に一の指を挿入して切込部の終端にその指の腹を掛け、かつ、他の指で洗浄体の側面を掴んで使用すると、洗浄用具をしっかりと楽に掴むことができる。
【００１２】
また、本発明の洗浄用具において、変形補助手段を設けると、洗浄片が水平方向に変形しやすくなるので、洗浄用具の自由度が高まり、より様々な形状の洗浄部分を洗浄することができる。
【００１３】
また、本発明の洗浄用具において、貫通孔を設けると、切込部の終端における裂けの発生が抑えられ、洗浄用具の破損を防止することができる。また、洗浄片がより水平方向に変形しやすくなるので、洗浄用具の自由度がさらに高まり、より様々な形状の洗浄部分を洗浄することができる。
【００１４】
また、本発明の洗浄用具において、指挿入部を設けると、切込部に一の指を挿入して切込部の終端にその指の腹を掛け、かつ、他の指で洗浄体の側面を掴んで洗浄用具を使用する場合に、切込部に挿入した指の尺側の指のうちのいずれか一つまたは複数を指挿入部に挿入することができるので、洗浄用具をより一層しっかりと楽に掴むことができる。
【図面の簡単な説明】
【００１５】
【図１】本発明の第１実施形態の洗浄用具を示す斜視図である。
【図２】本発明の第１実施形態の洗浄用具の使用状態を示す斜視図である。
【図３】本発明の第１実施形態の洗浄用具の他の使用状態を示す斜視図である。
【図４】本発明の第２実施形態の洗浄用具を示す斜視図である。
【図５】洗浄片の変形の様子を示す洗浄用具の平面的な模式図である。
【図６】本発明の第３実施形態の洗浄用具を示す斜視図である。
【図７】本発明の第３実施形態の洗浄用具の変形例を示す斜視図である。
【図８】本発明の第３実施形態の洗浄用具の使用状態を示す斜視図である。
【発明を実施するための形態】
【００１６】
以下、本発明の洗浄用具の３つの実施形態について説明する。なお、本発明の洗浄用具は、右利き用、左利き用または両用の何れであっても構わないが、以下の実施形態は、右利き用または両用であって、右利きの人が使用するものとする。
【００１７】
まず、本発明の洗浄用具の第１実施形態について説明する。図１は、本発明の洗浄用具の第１実施形態を示す。
本発明の洗浄用具の第１実施形態は、洗浄体１１と、切込部２１と、洗浄片２３，２３と、貫通孔２５と、により構成されている。
【００１８】
上記各構成のうち、洗浄体１１は、奥行きが幅より長い略直方体のスポンジからなる。スポンジは、天然スポンジであっても良いし、合成スポンジであっても良い。
なお、洗浄体１１は、スポンジの一面または複数の面に不織布を積層したものであってもよい。
【００１９】
洗浄体１１には、側面から内側に向かって、略上下方向に貫通して切り込まれた切込部２１が設けられている。本実施形態において、切込部２１は、洗浄体１１の正面１３の幅方向の中央から奥行き方向に向かって設けられている。なお、洗浄体１１に切込部２１を複数設けてもよい。
【００２０】
また、洗浄体１１のうち、切込部２１の両側（左右）には、洗浄片２３，２３が形成されている。本実施形態では、洗浄片２３とそれ以外の部分との奥行き方向の境界は、明瞭ではないが、切込部２１の終端の位置を境界とし、それより正面１３側を洗浄片２３とする。
【００２１】
また、洗浄体１１のうち、切込部２１の終端には、上下方向に貫通する貫通孔２５が、切込部２１と接続するように形成されている。
【００２２】
次に、第１実施形態の使用方法について説明する。第１実施形態の洗浄用具は、従来のスポンジ製の洗浄用具と同様に、洗浄用具を手で掴み、食器、浴槽、車両、機械または身体などの洗浄部分に洗浄用具を擦りつけるなどして使用する。また、図２に示すように、洗浄片２３を例えば親指と人差し指などの指で摘み、洗浄片２３で洗浄部分を洗浄することができる。また、図３に示すように、切込部２１に人差し指を挿入して切込部２１の終端に指の腹を掛け、洗浄体１１の右側面１６を親指で、左側面１５を残りの指で掴んで洗浄部分を洗浄することもできる。
なお、洗浄の際には、適宜、洗剤を用いてもよい。また、洗浄用具は、研磨剤による研磨や、ワックスの塗布にも用いることができる。
【００２３】
本実施形態によると、洗浄片２３を設けたことにより、洗浄部分を洗浄片２３で洗浄することができるので、隅部、凹部その他の洗浄し難い部分を容易かつ確実に洗浄することができる。
また、洗浄片２３を指でつまんで洗浄部分を洗浄する場合には、手や腕の力を洗浄部分に集中して伝達することができるので、落ちにくい汚れもしっかりと洗浄することができる。
また、洗浄用具を、切込部２１の終端に人差し指を掛けて、洗浄用具の右側面１６を親指で、左側面１５を残りの指で掴むと、洗浄用具をしっかりと楽に掴むことができ、落ちにくい汚れもしっかりと洗浄することができる。
また、切込部２１の終端に貫通孔２５を設けているので、切込部２１の終端における裂けの発生が抑えられ、洗浄用具の破損を防止することができる。
【００２４】
次に、本発明の洗浄用具の第２実施形態について説明する。図４は、本発明の洗浄用具の第２実施形態を示す。
【００２５】
第２実施形態は、第１実施形態の構成に加えて、洗浄体１１の左側面１５と右側面１６に、洗浄片２３の水平方向への変形を補助する変形補助手段３１，３１が設けられている。本実施形態では、変形補助手段３１として、略上下方向に溝３１が設けられている。溝３１は、左側面１５と右側面１６のうち、切込部２１の終端と同じ程度の奥行きにおいて設けられている。洗浄体１１に変形補助手段３１を設けた場合には、洗浄片２３とそれ以外の部分との奥行き方向の境界は、変形補助手段３１と切込部２１の終端とを結ぶラインとし、それより正面１３側を洗浄片２３とする。なお、変形補助手段３１は、上記のような溝３１に限定されるものではなく、略上下向に離散的に設けた溝、凹部または有底孔などであってもよい。また、変形補助手段３１は、左側面１５および右側面１６のうち、一方の面にだけ設けてもよい。
【００２６】
第２実施形態の使用方法は、上記第１実施形態の使用方法と同様である。
【００２７】
第２実施形態によると、図５に示すように、変形補助手段３１を設けたことにより、洗浄片２３が水平方向に変形しやすくなるので、洗浄用具の自由度が高まり、より様々な形状の洗浄部分を洗浄することができる。なお、図５では、洗浄片２３が、水平方向のうち外側に向かって変形する様子が示されているが、洗浄片２３は内側にも変形しやすくなっている。また、溝３１の深さが深くなればなるほど、洗浄片２３は、水平方向だけではなく、上下方向もしくは斜め方向にも変形し易くなり、また奥行き方向に略平行な軸周りに捻り易くなって、その自由度が向上する。
【００２８】
次に、本発明の洗浄用具の第３実施形態について説明する。図６は、本発明の洗浄用具の第３実施形態を示す。
【００２９】
第３実施形態は、第２実施形態の構成に加えて、切込部２１に一の指を挿入して切込部２１の終端にその指の腹を掛け、かつ、他の指で洗浄体１１の側面を掴んで洗浄用具を使用する場合に、挿入した指の尺側の指のうちのいずれか一つまたは複数を洗浄体１１の内部に挿入できる指挿入部４１を、洗浄体１１の側面に設けている。
【００３０】
本実施形態では、指挿入部４１として、洗浄体１１の左側面１５および右側面１６に、洗浄体１１の奥行き方向に略平行なスリット４１，４１をそれぞれ設けてある。スリット４１は、洗浄体１１の左右の側面のうち、洗浄片２３より背面１４側に形成されている。また、左側面１５および右側面１６のスリット４１，４１は内部で接続している。
なお、左側面１５および右側面１６に設けたスリット４１は、上記のように洗浄体１１の内部で接続している必要はなく、それぞれ独立しているものであってもよい。また、スリット４１は、図７に示すように、左側面１５および右側面１６のうち一方の側面にだけに設けてもよい。
また、指挿入部４１は、上記スリット４１の代わりに、左側面１５または右側面１６から幅方向に向かって指を挿入できる一または複数の孔であってもよい。
【００３１】
本実施形態のように指挿入部として上記スリット４１を採用する場合には、スリット４１の端部に、スリットの端部に接続し、かつ、洗浄体１１の幅方向に延びる孔を設けてもよい。本実施形態では、スリットの両端に孔４３，４３が設けられている。なお、スリット４１の一端にだけ孔４３を設けるものであってもよい。
【００３２】
以上に示した第３実施形態の使用方法は、上記第１実施形態の使用方法に加えて、図８に示すように、例えば、人差し指を切込部２１に挿入して指の腹を切込部２１の終端に掛け、洗浄体１１の右側面１６を親指で掴み、左側面１５を中指で掴むとともに、薬指と小指を左側面１５からスリット４１（指挿入部）に挿入して使用することができる。また、これ以外にも、例えば右側の洗浄片２３を親指と人差し指で摘み、中指から小指を左側面１５からスリット４１（指挿入部）に挿入して使用することもできる。
【００３３】
第３実施形態によると、洗浄体１１の側面に指挿入部４１を設けたことにより、例えば上記のように、人差し指を切込部２１に挿入して指の腹を切込部２１の終端に掛け、洗浄体１１の右側面１６を親指で、左側面１５を中指で掴むとともに、薬指と小指を左側面１５から指挿入部４１に挿入して使用すると、洗浄用具をより一層しっかりと楽に掴むことができる。また、洗浄片２３を親指と人差し指で摘み、中指から小指を左側面１５からスリット４１（指挿入部）に挿入して使用すると、より一層洗浄片２３の操作性が向上する。
また、スリット４１の端部に孔４３を設けると、スリット４１の端部での裂けの発生を防止することができる。また、スリット４１が開閉しやすくなり、指をスリット４１に挿入しやすくなる。また、スリット４１の開口幅がより広がるようになって、洗浄体１１のうちスリット４１の上側または下側の部分の自由度が向上するため、洗浄用具がより握り易くなって、洗浄片２３の操作性が向上する。
【符号の説明】
【００３４】
１１    洗浄体
１３    正面
１４    背面
１５    左側面
１６    右側面
２１    切込部
２３    洗浄片
２５    貫通孔
３１    溝（変形補助手段）
４１    スリット（指挿入部）
４３    孔
【図１】
0006018997.tif 000002
【図２】
0006018997.tif 000003
【図３】
0006018997.tif 000004
【図４】
0006018997.tif 000005
【図５】
0006018997.tif 000006
【図６】
0006018997.tif 000007
【図７】
0006018997.tif 000008
【図８】
0006018997.tif 000009